(57)【要約】【課題】装着作業性が良好でかつ外観性に優れた挿入枠付き照明器具を提供する。【解決手段】枠付き照明器具は、天井面に配設された挿入用孔部に挿入される照明器具本体と、照明器具本体の終端部に設けられ、前記挿入用孔部の外周縁で前記挿入用孔部Ｈに係止される枠部と、を有する挿入式枠付照明器具であって、前記枠部１５のうち前記挿入用孔部の軸に平行な外周側面の少なくとも一部に溝部１７が配設される。この構成により、器具本体のメンテナンスのために枠を付け外しする際、意匠性の観点から枠自体の厚さ（天井面からの持ち出し長さ）を薄くしつつも、作業性の向上を図ることができる。【選択図】図３
2011003443.tif 000002
【特許請求の範囲】
【請求項１】
天井面に配設された挿入用孔部に挿入される照明器具本体と、
照明器具本体の終端部に設けられ、前記挿入用孔部の外周縁で前記挿入用孔部に係止される枠部と、
を有する挿入式枠付照明器具であって、
前記枠部のうち前記挿入用孔部の軸に平行な外周側面の少なくとも一部に凹部を配設してなる挿入式枠付照明器具。
【請求項２】
請求項１記載の挿入式枠付照明器具であって、
前記凹部は、天井面に平行な溝部を配設してなる挿入式枠付照明器具。
【請求項３】
請求項１記載の挿入式枠付照明器具であって、
前記溝部内壁は天井面に漸近するテーパー傾斜面として構成される挿入式枠付照明器具。
【発明の詳細な説明】
【技術分野】
【０００１】
本発明は、挿入式枠付き照明器具に係り、特にその取り付け構造に関する。
【背景技術】
【０００２】
天井などに、凹部を形成し、埋め込んだ状態で装着する埋め込み式照明器具が、広く用いられている。このような埋め込み式照明器具は、光源部を収容する器具本体と、光源部の前面部を覆う枠部とから構成される。
【０００３】
その一例として、天井面に設けられた挿入用孔部に挿入される照明器具本体と、照明器具本体と挿入用孔部とが近接する部位に設けられる枠部とを有する挿入式枠付照明器具が提案されている（たとえば特許文献１）。
この埋め込み式照明器具は、全体概要図を図５および６に、要部説明図を図７に示すように、枠部１１５と器具本体１００は枠部１１５にあるバネ部材１１３にて取り付けられるようになっている。光源（図示せず）のメンテナンス時には枠部１１５を引き下げてパネル１１６を取り外し、光源を交換している。１１４はバネはめ込み部、１０１は天井面、Ｈは天井面に設けられた挿入用孔部である。
【先行技術文献】
【特許文献】
【０００４】
【特許文献１】特開２００６−３１０１９３号公報
【発明の概要】
【発明が解決しようとする課題】
【０００５】
しかしながら特許文献１の構造では、器具本体１００のメンテナンス等のために枠部１１５を付け外しすることが多々ある。しかしながら、意匠性の観点から枠自体の厚さ（天井面からの持ち出し長さ）を薄くせざるを得ず、作業性が十分でなかった。
本発明は前記実情に鑑みてなされたもので、装着作業性が良好でかつ外観性に優れた挿入枠付き照明器具を提供することを目的とする。
【課題を解決するための手段】
【０００６】
そこで本発明の挿入式枠付き照明器具は、天井面に配設された挿入用孔部に挿入される照明器具本体と、照明器具本体の終端部に設けられ、前記挿入用孔部の外周縁で前記挿入用孔部に係止される枠部と、を有する挿入式枠付照明器具であって、前記枠部のうち前記挿入用孔部の軸に平行な外周側面の少なくとも一部に凹部が配設される。
この構成によれば、器具本体のメンテナンスなどのために枠を付け外しする際、凹部の存在により、枠部の外周を把持するに際し、接触面積が増大し、しっかりと把持することができる。また照明器具本体に臨む面は従来と同じであり、照明器具から照射される光に影響を与えることがない。
【０００７】
また、本発明は、上記挿入式枠付き照明器具において、前記凹部が、天井面に平行な溝部を配設してなる。
この構成によれば、枠部を引っ張る方向に対して垂直な方向に、溝部が形成されているため、より、確実に枠部を把持することができる。枠部のうち器具本体に臨まない外周側面の一部に略水平方向に沿った溝部を設けたので、指がかかりやすく、略鉛直方向への引きおろし作業性が改善される。
【０００８】
また、本発明は、上記挿入式枠付き照明器具において、前記溝部内壁は天井面に漸近するテーパー傾斜面として構成される。
この構成により、枠部を引っ張る方向に対して、指を係止し得る方向に、溝部内壁が傾斜したテーパー傾斜面が形成されているため、さらに確実に枠部を把持することができる。
【発明の効果】
【０００９】
以上説明してきたように、本発明によれば、枠部の外周側面の少なくとも一部に凹部が配設されているため、器具本体のメンテナンスなどのために枠を付け外しする際、凹部の存在により、枠部の外周を把持するに際し、接触面積が増大し、しっかりと把持することができる。また、外観性も優れている。
【図面の簡単な説明】
【００１０】
【図１】本発明の実施の形態１の挿入式枠付き照明器具を示す一部分解斜視図
【図２】同断面図
【図３】同要部拡大断面図
【図４】本発明の実施の形態２の挿入式枠付き照明器具の要部拡大断面図
【図５】従来例の挿入式枠付き照明器具を示す一部分解斜視図
【図６】同断面図
【図７】同要部拡大断面図
【発明を実施するための形態】
【００１１】
以下本発明の実施の形態について図面を参照しつつ詳細に説明する。
（実施の形態１）
図１は本発明の実施の形態１の挿入式枠付き照明器具の全体構成を示す斜視図、図２は同挿入式枠付き照明器具の断面図、図３は要部拡大断面図である。本実施の形態に係る挿入式枠付き照明器具は枠部の周縁以外は従来例の挿入式枠付き照明器具とほぼ同一の構成であるため、共通の部材には同一の符号を付している。
【００１２】
本実施の形態の挿入式枠付き照明器具１は、天井面１０１に配設された挿入用孔部Ｈに挿入される照明器具本体１００と、照明器具本体１００の終端部に設けられ、前記挿入用孔部Ｈの外周縁で前記挿入用孔部Ｈに係止される枠部１５とを有し、この枠部１５のうち挿入用孔部Ｈの軸に平行な外周側面に天井面に平行な溝部１７を形成したことを特徴とする。
この構成により、器具本体のメンテナンスなどのために枠を付け外しする際、枠部を引っ張る方向に対して垂直な方向に、溝部１７が形成されているため、枠部１５の外周を把持するに際し、接触面積が増大し、より確実に枠部を把持することができる。
【００１３】
次に、本実施の形態に係る挿入式枠付き照明器具１の概略構成を説明する。
図１に示すように、挿入式枠付き照明器具１は略四角形状の角型照明器具である。
この挿入式枠付き照明器具１は、下方を開放した略箱状の本体ケース２と、本体ケース２の対向する二側板７に設けた止具としてのスライド金具５と、本体ケース２の下端に鍔状に設けた枠部１５と、を具備する。天井に開口した挿入用孔部Ｈに本体ケース２を挿入して、スライド金具５と枠部１５とにより天井材の上下面を挟み抑えつけて、本体ケース２を天井面１０１に固定する。また、本体ケース２は、蛍光灯（図示せず）と回路ボックス１０等を備えている。さらに、挿入式枠付き照明器具１は、本体ケース２に取り付ける密閉蓋状のパネル１６を具備する。以上の構成は、枠部１５の外周の溝部以外、上述した従来の挿入式枠付き照明器具と同一の構成である。
【００１４】
またこの挿入式枠付き照明器具１においては、さらに、図３に示すように、本体ケース２のスライド金具５を設けない他の対向する二側板８にもうけられたバネはめ込み部１４に係止されるように、補助止具として一対の板バネ１３を設けている。
【００１５】
また、パネル１６は、天井面１０１にかぶせる枠部１５を有する。そして、枠部１５にと天井面１０１との間隙を介した室内外の空気流通を妨げるシール部材として、ゴム製等のパッキン（図示せず）を設けている。
【００１６】
そして本体ケース２の上端面内側には、蛍光灯支持具（図示せず）をそれぞれ三箇所ずつ設けている。また、給電ソケット１９を設けている。そして、蛍光灯支持具に三本の丸型蛍光灯（図示せず）をそれぞれ取り付け、各蛍光灯に給電ソケット１９を差し込む構成となっている。（図１においては、蛍光灯、蛍光灯支持具、給電ソケットを省略。）１８は安定器である。
【００１７】
ここで板バネ１３は、各側板８外面の水平方向中央部の略下端部に設けられる。これにより、各側板８において枠部１５を天井板１０１に密着させ、室内の気密性を保つことができる。初期形状において、板バネ１３は、側板８の板バネはめ込み部１４から、想定される天井面１０１を構成する天井板の最大板厚分に略相当する長さだけ斜め上方に延出して、略水平方向に屈曲している。この斜め上方への延伸部は板バネ１３の天井面１０１との当接部を成している。該当接部より先の水平延伸部の先端は下向きに屈曲して鉤状になっており、本体ケース２が挿入用孔部Ｈから抜け落ちるのを防ぐ。
【００１８】
次に、照明器具１の取り付け手順を説明する。
まず、回路ボックス１０側（側板８側）の板バネを手で押さえて上方に曲げておきながら、本体ケース２を斜めにして、回路ボックス１０の突出部から先に天井面に設けられた挿入用孔部Ｈに入れる。これにより板バネ１３の当接部を側板８と天井面１０１とに挟まれた状態にして、次に、対向する側板８側の板バネ１３を同様に手で押さえて上方に曲げておきながら、本体ケース２の側板８側を持ち上げて挿入用孔部Ｈに入れる。これにより、図３に示すように、本体ケース２は挿入用孔部Ｈにはまり込む。それと同時に、板バネ１３の当接部は側板８と天井面１０１とに挟み込まれた状態になる。なお、本体ケース２は板バネ１３によって天井面１０１に仮止めされた状態になっている。
【００１９】
続いて、スライド金具５によって、本体ケース２を天井面１０１に固定する。このようにして、板バネ１３とスライド金具５により、天井面１０１に枠部１５が密着した状態で、本体ケース２は天井面１０１に固定支持される。
【００２０】
次に、蛍光灯を蛍光灯支持具に取り付け、最後に、バネはめ込み部１４に板バネ１３をはめ込むことにより、パネル１６を本体ケース２に取り付ける。板バネ１３の付勢力により、パネル１６は、パッキンを介して本体ケース２の枠部１５の下面に密着する。
【００２１】
以上説明してきたように、本実施の形態によれば、枠部１５のうち挿入用孔部Ｈの軸に平行な外周側面に天井面に平行な溝部１７を形成している。このため、器具本体のメンテナンスなどのために枠を付け外しする際、枠部１５を引っ張る方向に対して垂直な方向に、溝部１７が形成されているため、枠部の外周を把持するに際し、接触面積が増大し、より確実に枠部を把持することができる。
【００２２】
（実施の形態２）
次に本発明の実施の形態２について説明する。図４は本実施の形態の挿入式枠付き照明器具の要部拡大断面図である。
本実施の形態では、図４に示すように枠部側面に天井面１０１に漸近するテーパー溝を設けたことを特徴とする。すなわち、枠部１５の外周面に形成された溝部２７の内壁は天井面１０１に漸近するテーパー傾斜面を構成している。
全体構成については前記実施の形態１の挿入式枠付き照明器具と同様であるため、ここでは説明を省略する。
この構成によれば、枠部の外周側面は天井面に漸近するテーパー傾斜面として構成されているので、枠自体の厚さ（天井面からの持ち出し長さ）が同じであってもテーパー傾斜面がない場合に比べ、溝部の形成面積を大きく取ることができ、より引きおろし作業が容易となる。
【００２３】
なお、本実施の形態では、天井取付型の挿入式枠付き照明器具について説明したがこれに限定されることなく、壁取付型等の埋込型照明器具などにも適用可能である。
【符号の説明】
【００２４】
１  挿入式枠付き照明器具
２  本体ケース
５  スライド金具
７、８  側板
１３  板バネ
１４  バネはめ込み部
１５  枠部
１６  パネル
１７、２７  溝部
１８  安定器
１９  給電ソケット
１００  器具本体  
１０１  天井面
Ｈ  挿入用孔部
【図１】
2011003443.tif 000003
【図２】
2011003443.tif 000004
【図３】
2011003443.tif 000005
【図４】
2011003443.tif 000006
【図５】
2011003443.tif 000007
【図６】
2011003443.tif 000008
【図７】
2011003443.tif 000009